(57)【特許請求の範囲】
【請求項１】
異なる複数のサービスを受信して表示する画像システムであって、
異なる複数のサービスを受信する複数の受信手段と、
表示装置と、
前記複数の受信手段で受信する複数のサービスのうち、ユーザにより所望のサービスを選択する手段と、
前記選択した複数のサービスと、この選択したサービスの画像を表示する為にユーザが定めた複数の表示領域とが記憶される記憶手段と、
前記選択したサービスのデータからデータの種類を読み取り、データからテキストデータのみを抽出する抽出手段と、
前記記憶手段に記憶されている複数の表示領域とこの表示領域に表示するサービスとに基づいて、前記表示装置の表示画面を分割し、サービスの画像又は前記抽出されたテキストデータを前記分割した表示領域に表示する表示制御手段と
を有することを特徴とする画像表示システム。
【請求項２】
一つの表示領域に複数のサービスを時分割で表示させる手段を更に有することを特徴とする請求項１に記載の画像表示システム。
【請求項３】
異なる複数のサービスを受信して表示する画像表示方法であって、
異なる複数のサービスを受信する複数の受信ステップと、
前記複数の受信ステップで受信する複数のサービスのうち、ユーザにより所望のサービスを選択するステップと、
前記選択した複数のサービスと、この選択したサービスの画像を表示装置に表示する為にユーザが定めた複数の表示領域とを記憶する記憶ステップと、
前記選択したサービスのデータからデータの種類を読み取り、データからテキストデータのみを抽出する抽出ステップと、
前記記憶ステップで記憶された複数の表示領域とこの表示領域に表示するサービスとに基づいて、前記表示装置の表示画面を分割し、サービスの画像又は前記抽出されたテキストデータを前記分割した表示領域に表示する表示制御ステップと
を有することを特徴とする画像表示方法。
【請求項４】
一つの表示領域に複数のサービスを時分割で表示させるステップを更に有することを特徴とする請求項３に記載の画像表示方法。
【請求項５】
異なる複数のサービスを受信して表示する画像システムであって、
提供するサービスの画像の表示形式を示す識別情報を生成する識別情報生成手段と、前記識別情報を提供するサービスの画像データにエンコードするエンコーダと、前記識別情報がエンコードされた画像データを送信する送信手段とを有する複数の送信局と、
表示装置と、異なる複数のサービスを受信する複数の受信手段と、複数のサービスのうち所望するサービスを選択するサービス選択手段と、前記サービス選択手段で選択されたサービスの画像データから識別情報をデコードするデコーダと、前記選択した複数のサービスが記憶される記憶手段と、前記選択したサービスのデータからデータの種類を読み取り、データからテキストデータのみを抽出する抽出手段と、前記デコードされた識別情報に基づいて、前記表示装置の表示画面を各サービスの画像を表示する表示領域に分割し、選択したサービスの画像又は前記抽出されたテキストデータを各表示領域に表示する表示制御手段とを有する受信局と
を有することを特徴とする画像表示システム。
【請求項６】
分割された表示領域の一つの表示領域に複数のサービスを時分割で表示させる手段を更に有することを特徴とする請求項５に記載の画像表示システム。
【請求項７】
異なる複数のサービスを受信して表示する画像表示方法であって、
提供するサービスの画像の表示形式を示す識別情報を生成するステップと、
前記識別情報を、提供するサービスの画像データにエンコードするステップと、
前記識別情報がエンコードされた画像データを送信するステップと、
複数のサービスのうち所望するサービスを選択して受信するステップと、
前記選択されたサービスの画像データから識別情報をデコードするステップと、
前記選択した複数のサービスを記憶する記憶ステップと、
前記選択したサービスのデータからデータの種類を読み取り、データからテキストデータのみを抽出する抽出ステップと、
前記デコードされた識別情報に基づいて、表示画面を複数の表示領域に分割し、選択したサービスの画像又は前記抽出されたテキストデータを指定された表示領域に表示するステップと
を有することを特徴とする画像表示方法。
【請求項８】
分割された表示領域の一つの表示領域に複数のサービスを時分割で表示させるステップを更に有することを特徴とする請求項７に記載の画像表示方法。
【発明の詳細な説明】
【０００１】
【発明が属する技術分野】
本発明は画像表示システム及び方法に関し、特に色々な表示形式で複数のサービスの画像を表示する画像表示システム及び方法に関する。
【０００２】
【従来の技術】
近年、様々な技術により、地上アナログ放送、文字放送、ケーブルテレビ、衛星放送等の各種のサービスが提供されている。
【０００３】
視聴者側もこれらのサービスの一つだけを単に視聴するだけでなく、複数のサービスを同時に視聴したいという要求があった。この要求を満たす一つの手段としては、いわゆるダブルウインドと呼ばれる子画面表示の機能を持ったテレビが提供されている。
【０００４】
【発明が解決しようとする課題】
しかしながら、この技術は任意に固定された子画面に異なるサービス（番組）表示させるのみであり、ユーザの好みの表示形式に設定することはできず、また、今後さらに増加するであろうサービスに対応するものではなかった。
【０００５】
そこで、本発明は上記問題点を鑑みて発明されたものであって、本発明の目的は、画面の表示形式に囚われることなく、提供される複数のサービスの画像を自由な表示形式で表示する画像表示システム及びその方法を提供することにある。
【０００６】
【課題を解決するための手段】
上記本発明の目的を達成する第１の発明は、異なる複数のサービスを受信して表示する画像システムであって、
異なる複数のサービスを受信する複数の受信手段と、
表示装置と、
前記複数の受信手段で受信する複数のサービスのうち、ユーザにより所望のサービスを選択する手段と、
前記選択した複数のサービスと、この選択したサービスの画像を表示する為にユーザが定めた複数の表示領域とが記憶される記憶手段と、
前記選択したサービスのデータからデータの種類を読み取り、データからテキストデータのみを抽出する抽出手段と、
前記記憶手段に記憶されている複数の表示領域とこの表示領域に表示するサービスとに基づいて、前記表示装置の表示画面を分割し、サービスの画像又は前記抽出されたテキストデータを前記分割した表示領域に表示する表示制御手段と
を有することを特徴とする。
上記本発明の目的を達成する第２の発明は、上記第１の発明において、一つの表示領域に複数のサービスを時分割で表示させる手段を更に有することを特徴とする。
【０００７】
上記本発明の目的を達成する第３の発明は、異なる複数のサービスを受信して表示する画像表示方法であって、
異なる複数のサービスを受信する複数の受信ステップと、
前記複数の受信ステップで受信する複数のサービスのうち、ユーザにより所望のサービスを選択するステップと、
前記選択した複数のサービスと、この選択したサービスの画像を表示装置に表示する為にユーザが定めた複数の表示領域とを記憶する記憶ステップと、
前記選択したサービスのデータからデータの種類を読み取り、データからテキストデータのみを抽出する抽出ステップと、
前記記憶ステップで記憶された複数の表示領域とこの表示領域に表示するサービスとに基づいて、前記表示装置の表示画面を分割し、サービスの画像又は前記抽出されたテキストデータを前記分割した表示領域に表示する表示制御ステップと
を有することを特徴とする。
上記本発明の目的を達成する第４の発明は、上記第３の発明において、一つの表示領域に複数のサービスを時分割で表示させるステップを更に有することを特徴とする。
上記本発明の目的を達成する第５の発明は、異なる複数のサービスを受信して表示する画像システムであって、
提供するサービスの画像の表示形式を示す識別情報を生成する識別情報生成手段と、前記識別情報を提供するサービスの画像データにエンコードするエンコーダと、前記識別情報がエンコードされた画像データを送信する送信手段とを有する複数の送信局と、
表示装置と、異なる複数のサービスを受信する複数の受信手段と、複数のサービスのうち所望するサービスを選択するサービス選択手段と、前記サービス選択手段で選択されたサービスの画像データから識別情報をデコードするデコーダと、前記選択した複数のサービスが記憶される記憶手段と、前記選択したサービスのデータからデータの種類を読み取り、データからテキストデータのみを抽出する抽出手段と、前記デコードされた識別情報に基づいて、前記表示装置の表示画面を各サービスの画像を表示する表示領域に分割し、選択したサービスの画像又は前記抽出されたテキストデータを各表示領域に表示する表示制御手段とを有する受信局と
を有することを特徴とする。
上記本発明の目的を達成する第６の発明は、上記第５の発明において、分割された表示領域の一つの表示領域に複数のサービスを時分割で表示させる手段を更に有することを特徴とする。
上記本発明の目的を達成する第７の発明は、異なる複数のサービスを受信して表示する画像表示方法であって、
提供するサービスの画像の表示形式を示す識別情報を生成するステップと、
前記識別情報を、提供するサービスの画像データにエンコードするステップと、
前記識別情報がエンコードされた画像データを送信するステップと、
複数のサービスのうち所望するサービスを選択して受信するステップと、
前記選択されたサービスの画像データから識別情報をデコードするステップと、
前記選択した複数のサービスを記憶する記憶ステップと、
前記選択したサービスのデータからデータの種類を読み取り、データからテキストデータのみを抽出する抽出ステップと、
前記デコードされた識別情報に基づいて、表示画面を複数の表示領域に分割し、選択したサービスの画像又は前記抽出されたテキストデータを指定された表示領域に表示するステップと
を有することを特徴とする。
上記本発明の目的を達成する第８の発明は、上記第７の発明において、分割された表示領域の一つの表示領域に複数のサービスを時分割で表示させるステップを更に有することを特徴とする。
【０００８】
【発明の実施の形態】
本発明の実施の形態を説明する。
【０００９】
図１は本発明の第１の実施の形態のブロック図である。
図１中、１ａ〜１ｎは複数のサービスを受信する受信機である。２は受信機１ａ〜１ｎで受信されたサービスのうちユーザが希望するサービスを選択するサービス選択部である。３はサービスの画像を表示する表示装置である。４は表示制御部である。そして、ユーザのカスタマイズに合わせて表示装置３の表示画面を複数の表示領域に分割し、各表示領域にサービス選択部２で選択したサービスの画像の表示を制御するものである。
【００１０】
受信機１ａ〜１ｎは、各種サービスを受信するチューナであり既存の受信機で構成される。尚、各種サービスには、地上アナログ放送、地上デジタル放送、衛星放送、文字放送、データ放送、ケーブル放送などのサービスを含む。
【００１１】
サービス選択部２は、受信機１ａ〜１ｎで受信したサービスを入力とし、ユーザが選択したサービスを出力するスイッチである。尚、選択するサービスの数は単数又は複数いずれの場合も良いが、本発明の効果を得るためには複数のサービスを選択することが好ましい。又、サービス選択部２は、一度ユーザが選択したサービスを記憶して保持するメモリを有し、次回の電源投入時又はユーザの書き換え時まで選択したサービスを記憶する。
【００１２】
表示装置３は、例えば１９２０×１０８０ｐｉｘの表示可能な高精度表示装置（ＨＤ）である。表示方式として、液晶ディスプレイ、ＣＲＴ、プラズマディスプレイなど問わないが、好ましくは高精度表示が可能なディスプレイが良い。
【００１３】
表示制御部４は、サービスの画像を表示するための表示領域をユーザのカスタマイズに合わせて制御する表示領域制御部５と、表示領域制御部５の制御により、受信機１ａ〜１ｎで受信したサービスのデータを記憶するメモリ部６とを有する。
【００１４】
次に、上記の構成において、具体的な動作を説明する。
まず、ユーザは、鑑賞したいサービスをサービス選択部２により選択する。ここでは、地上アナログ放送と文字放送とを選択したとする。
【００１５】
続いて、表示装置３の表示画面をどのような領域で区分するかを決定する。ここでは、図２に示される如く、表示画面を、７２０×４８０ｐｉｘの長方形の領域２１と、その他のＬ型の領域２２とに二分割する場合を考える。そして、表示領域２１に地上アナログ放送を表示させ、表示領域２２に文字放送を表示させることを選択したとする。
【００１６】
尚、ユーザの分割方法（カスタマイズ）であるが、表示装置３の表示画面に領域を区分けするためのポインタを表示させ、ポインタを自由な場所にもって行き確定されることによって区分するようにする方法が考えられる。但し、サービスの種類によっては、表示形式上、表示領域の形が制限される場合がある。例えば、地上アナログ放送（４８０ｉ）を受信する場合など、表示領域の形が、４：３の長方形が好ましい。この場合などは一定の制限をユーザに喚起させる注意事項を表示させ、表示領域の形に不具合が生じないようにする。
【００１７】
上述の表示領域の準備が済むと、以下の動作により表示装置３の表示画面により、表示領域２１に地上アナログ放送が表示され、表示領域２２に文字放送が表示される。
【００１８】
受信機１ａ〜１ｎにより受信された各サービスの画像データは、データ選択部２に入力される。データ選択部２では、入力されたデータのうち、地上アナログ放送のデータと文字放送のデータとを選択して、表示制御部４に出力する。表示制御部４に入力された画像データは、表示領域制御部５の制御により、メモリ部６にマッピングされる。
【００１９】
図３はメモリ部６のマッピングの様子を示した図である。
図３では、地上アナログ放送の画像データを記憶する領域として、表示ライン１〜４８０において水平方向に１〜７２０画素を確保している。また、文字放送のテキストデータを記憶する領域として、表示ライン１〜４８０において水平方向に７２１〜１９２０画素を確保し、表示ライン４８１〜１０８０において水平方向に１〜１９２０画素を確保している。尚、文字放送については、表示領域２２を１２００×４８０画素の領域２２ａと１９２０×６００の領域２２ｂとに分け、１文字２０×２０のフォントとして、領域２２ａに１行６０文字の２４行の文字を割当て、領域２２ｂに１行９６文字の３０行の文字を割当てる。
【００２０】
表示領域制御部５ではメモリ部６にマッピングされたデータを順次読み出していき、表示装置３に出力して表示させる。
【００２１】
このようにして、図４に示される如く、地上アナログ放送の画像と文字放送の画像とが、ユーザの指定した領域に表示されることとなる。
尚、上述の説明では、表示領域として長方形の領域２１とその他のＬ型の領域２２とに二分割する場合を説明したが、これらの形に囚われることなく、例えば円形の表示領域や、三角形の表示領域であっても良い。この場合、上述したメモリマップの構成を変更すれば、実施可能である。
【００２２】
また、表示制御部４に、ユーザが作成した複数の表示領域や、そこに表示させるサービスを記憶しておくメモリ部を設け、ユーザの選択により任意に画面を切換えるように構成することも可能である。例えば、画面種類１は長方形の領域とＬ型の領域とで二分割される画面であり、画面種類２は長方形の領域と円形の領域とで二分割される画面であり、これらの画面種類をユーザの選択により切換えるように構成する。更に、各表示領域に表示されるサービスも、時間ごとに変更するように構成しても良い。
【００２３】
第２の実施の形態を説明する。
近年の文字放送は、文字（テキスト）のみならずキャラクターなどのグラフィクも放送されている。しかし、第１の実施の形態の如く特殊な表示形態を行うと、グラフィクが正常な位置に表示されず、見難い場合がある。そこで、第２の実施の形態では、所定のサービスからテキストデータ（文字）のみを抽出するテキストデータ抽出部１０を表示制御部４に設けたことを特徴とする。
【００２４】
以下、図面を参照して説明する。尚、第１の実施例と同様なものについては、同じ符号を付して詳細な説明は省略する。
図５は第２の実施の形態を説明するための図である。
受信機１ａ〜１ｎにより受信された各サービスの画像データは、データ選択部２に入力される。データ選択部２では、入力されたデータのうち、地上アナログ放送のデータと文字放送のデータとを選択して、表示制御部４に出力する。表示制御部４に入力されたデータのうち、文字放送のデータは、テキストデータ抽出部１０に入力され、データからテキストデータのみが抽出される。
【００２５】
ここで、テキストデータの抽出の方法について説明する。通常、文字放送のデータは、実データの前に実データがどのような種類（例えば、テキストとか、グラフィクとかの種類）のデータかを示す制御データを付加されている。そこで、テキストデータ抽出部１０は、文字放送のデータから制御データを読み取って実データの種類を判断し、制御データがテキストデータを示している場合には後に続くテキストデータのみを抽出する。
【００２６】
テキストデータ抽出部１０により抽出されたテキストデータは、第１の実施の形態に述べたように表示領域制御部５の制御により、メモリ部６にマッピングされる。
【００２７】
続いて、第３の実施の形態を説明する。
第３の実施の形態は、ある表示領域に複数のサービスを割り当て、所定時間ごとにサービスを切り替えて表示することを特徴とする。例えば、第１の実施の形態において領域２２に割当てたのは一つの文字放送だけであるが、第３の実施の形態では、その領域２２に複数の文字放送（例えば、天気予報と株価情報など）を割当てる。
これを実現するため、図６に示される如く、ユーザが選択したサービスを記憶するサービス時分割選択部１１をサービス選択部２に設ける。このサービス時分割選択部１１は、一つの領域に表示しようとする複数のサービスを記憶し、所定の時間ごとに選択された複数のサービスの中から一つのサービスを選択して表示制御部４に出力する。例えば、天気予報の文字放送と株価情報の文字放送とを１０分毎に切り替えて表示することを選択した場合、受信機１ａ〜１ｎで受信したサービスから天気予報の文字放送と株価情報の文字放送とを入力し、自己のタイマーより時間を計測し、１０分毎に天気予報の文字放送と株価情報の文字放送と切り替えて表示制御部４に出力する。表示制御部４では入力された文字放送のデータを第１の実施の形態と同様な処理を行い表示する。
【００２８】
このようにすれば、領域２２には、１０分毎に天気予報の文字放送と株価情報の文字放送とが切り替わって表示される。尚、本第３の実施の形態で説明された如く、第１の実施の形態との組み合わせのみならず、第２の実施の形態の構成を加えても良いことは、言うまでもない。
【００２９】
第４の実施の形態を説明する。
第１の実施の形態では、ユーザが表示画面を自由に複数の領域に分割し、分割した領域にサービスの画像を表示させるようにしたが、第４の実施の形態では、サービスを提供する側で予め画像の表示形式を決定しておき、その表示形式にそった画像をサービスすることを特徴とする。
【００３０】
以下、図面を参照して説明する。尚、第１の実施例と同様なものについては、同じ符号を付して詳細な説明は省略する。
【００３１】
図７は第４の実施の形態を説明するための図である。
図７中、５０はサービスを提供する提供者の放送局である。放送局５０には提供するサービスの画像がどのような表示形式であるかを示す識別情報を生成する識別情報生成部５１と、識別情報を提供するサービスの画像に埋めこむ又は付加するエンコーダ５２と、サービスするデータを送信する送信部５３とを有する。
【００３２】
上述した識別情報が示す表示形式としては、例えば画像が長方形であるとか、Ｌ字型であるとかである。又、さらに詳しくは、地上アナログ放送において、７２０×４８０ｐｉｘの長方形の表示形式であるとか、文字放送ならば表示形式のみならず、具体的なフォントの大きさを示すようにしても良い。
【００３３】
一方、受信側では、第１の実施の形態に加えて表示制御部４に、受信したサービスのデータより識別情報をデコードするデコーダ４１と、識別情報に基づいて表示領域を制御するためメモリ６を制御する表示領域制御部４２とを有する。
【００３４】
続いて、上述の構成における動作を説明する。尚、本動作において、提供するサービスを地上アナログ放送と文字放送とし、地上アナログ放送の識別情報として、表示領域が７２０×４８０ｐｉｘの長方形であることを示す識別情報を、文字放送の識別情報として、表示形式がＬ字型であることを示す識別情報をそれぞれ付加するものとして説明する。尚、１文字２０×２０のフォントの情報も加えても良い。
【００３５】
まず、放送局５０（地上アナログ放送、文字放送）において、識別情報生成部５１により識別情報を生成する。上述したように地上アナログ放送の放送局５０では、表示領域が７２０×４８０ｐｉｘの長方形であることを示す識別情報を生成する。また、文字放送の放送局５０では、表示形式がＬ字型であることを示す識別情報を生成する。そして、エンコーダ５２により、生成した識別情報を提供するサービスの画像にエンコードする。尚、エンコードの方法として、単に画像データの先頭などに付加する場合や、電子透かしなどにより画像データ自体に埋めこんでもよい。
【００３６】
一方、受信側において、ユーザは、鑑賞したいサービスをサービス選択部２により選択する。ここでは、地上アナログ放送と文字放送とを選択したとする。
【００３７】
受信機１ａ〜１ｎにより受信された各サービスの画像データは、データ選択部２に入力される。データ選択部２では、入力されたデータのうち、地上アナログ放送のデータと文字放送のデータとを選択して、表示制御部４に出力する。表示制御部４に入力された画像データはデコーダ４１により、識別情報がデコードされる。
【００３８】
そして、デコードされた識別情報は表示領域制御部４２に入力されて、解析される。ここで、地上アナログ放送の識別情報は、表示領域が７２０×４８０ｐｉｘの長方形であることを示す識別情報であり、文字放送の識別情報は表示形式がＬ字型であることを示す識別情報である。そこで、表示領域制御部４２はメモリ部６のマッピングを制御する。ここでは、上述した第１の実施の形態と同様に、地上アナログ放送の画像データを記憶する領域として、表示ライン１〜４８０において水平方向に１〜７２０画素を確保している。また、文字放送のテキストデータを記憶する領域として、表示ライン１〜４８０において水平方向に７２１〜１９２０画素を確保し、表示ライン４８１〜１０８０において水平方向に１〜１９２０画素を確保している。尚、文字放送については、表示領域２２を１２００×４８０画素の領域２２ａと１９２０×６００の領域２２ｂとに分け、１文字２０×２０のフォントとして、領域２２ａに１行６０文字の２４行の文字を割当て、領域２２ｂに１行９６文字の３０行の文字を割当てる。
【００３９】
表示領域制御部４１ではメモリ部６にマッピングされたデータを順次読み出していき、表示装置３に出力して表示させる。
【００４０】
このようにして、第１の実施の形態と同様に図４に示される如く、地上アナログ放送の画像と文字放送の画像とが、ユーザの指定した領域に表示されることとなる。
【００４１】
尚、上述した実施の形態では、表示形式の識別情報を、表示領域が７２０×４８０ｐｉｘの長方形であることを示す識別情報としたが、例えば、他の識別情報の方法として、(1920,1080)( (720,0) (720,480) (0,480) (0,1080) (1920,1080) (1920,0) (720,0) )、のように、最初の括弧で表示する画面の全体の解像度を示し、その後の括弧で実際に使う画面の形状を特定するための座標を指定するような識別情報も考えられる。この場合、画面全体の解像度が１９２０×１０８０ｐｉｘであり、そのうち座標点(720,0)、 (720,480)、 (0,480)、 (0,1080)、 (1920,1080) 、(1920,0)、 (720,0)を結ぶことによって特定されるＬ字型の領域が表示領域であることを示している。
【００４２】
また、今後のデジタル放送でのデジタルのデータ放送も同様に本発明を適用することができる。
また、第４の実施の形態に加えて、上述した第１の実施の形態、第２の実施の形態又は第３の実施の形態を適時加えても良い。
【００４３】
【発明の効果】
本発明によれば、画面の表示形式に囚われることなく、提供される複数のサービスの画像を自由な表示形式で表示することができる。
【図面の簡単な説明】
【図１】図１は第１の実施の形態を説明するための図である。
【図２】図２は表示画面を複数の領域に分割する様子を説明するための図である。
【図３】図３はメモリ部６のマッピングを説明するための図である。
【図４】図４は表示画面に複数の画像を表示した場合を説明するための図である。
【図５】図５は第２の実施の形態を説明するための図である。
【図６】図６は第３の実施の形態を説明するための図である。
【図７】図７は第４の実施の形態を説明するための図である。
【符号の説明】
１ａ〜１ｎ          受信機
２                  サービス選択部
３                  表示装置
４                  表示制御部
５                  表示領域制御部
６                  メモリ
【図１】
0003665811.tif 000002
【図２】
0003665811.tif 000003
【図３】
0003665811.tif 000004
【図４】
0003665811.tif 000005
【図５】
0003665811.tif 000006
【図６】
0003665811.tif 000007
【図７】
0003665811.tif 000008